(57)【特許請求の範囲】
【請求項１】
外カバーの押し込み操作により、取付台に取り付けられた複数のスイッチ接点のいずれかを作動させる接触型起動スイッチであって、
前記取付台の長さ方向に間隔をあけて前記取付台の取付用孔を設け、
これら取付孔の間に、前面が開口した凹所を設け、
この凹所内に前記複数の接点スイッチを配置し、
この凹所の前面を、可撓性シートと、前記外カバーの変位を前記スイッチ接点に伝達する複数の押し込み片を有する内カバーとによって密閉し、
前記凹所内に、それの周縁部に沿って立設したリブによって包囲された収容部内に、前記接点スイッチが配置され、
前記リブは前記凹所の周縁部との間に間隔をあけて配置され、この間隔内に、前記内カバーの周縁部に設けた挿入部が侵入している接触型起動スイッチ。
【請求項２】
外カバーの押し込み操作により、取付台に取り付けられた複数のスイッチ接点のいずれかを作動させる接触型起動スイッチであって、
前記取付台の長さ方向に間隔をあけて前記取付台の取付用孔を設け、
これら取付孔の間に、前面が開口した凹所を設け、
この凹所内に前記複数の接点スイッチを配置し、
この凹所の前面を、可撓性シートと、前記外カバーの変位を前記スイッチ接点に伝達する複数の押し込み片を有する内カバーとによって密閉し、
前記凹所内に、それの周縁部に沿って多重に立設した複数のリブによって包囲された収容部内に、前記接点スイッチが配置され、前記複数のリブのうち、前記凹所の周縁部に最も近いものと前記凹所の周縁部との間に、間隔が設けられ、この間隔内に、前記内カバーの周縁部に設けた挿入部が侵入している接触型起動スイッチ。
【発明の詳細な説明】
【０００１】
【発明の属する技術分野】
本発明は、例えば自動ドア装置に使用される接触型起動スイッチに関する。
【０００２】
【従来の技術】
自動ドア装置では、接触型起動スイッチは、ドアパネルに取り付けられ、接触型起動スイッチに通行者が接触することによって、ドアパネルを開閉するための起動信号を接触型起動スイッチが発生する。
【０００３】
接触型起動スイッチは、ドアパネルの両面に取り付けられるので、一方のドアパネルに取り付けられる接触型起動スイッチが親機であり、他方のドアパネルに取り付けられる接触型起動スイッチが子機となる。子機に通行者が接触すると、子機からの信号が親機に伝送され、親機から起動信号が発生する。子機は、屋外に面したドアパネルの面や、浴室に面したドアパネル等の悪環境で使用されることが多い。
【０００４】
そのため、取付台に複数の接点スイッチを設け、この取付台をドアパネルに取り付けるための取付孔を含む範囲の前面を、可撓性シートと内カバーとで覆い、これらをネジ止めすることによって、密閉して、防水構造としていた。
【０００５】
【発明が解決しようとする課題】
しかし、このような構成では、取付孔の周囲から取付台への水の侵入を確実に防ぐことができない。しかも、スイッチ接点への前面からの水の侵入を防ぐためには、多くのネジが必要であり、その取付、保守点検作業が面倒であった。
【０００６】
本発明は、確実に防水することができる上に、取付、保守点検作業が容易である接触型起動スイッチを提供することを目的とする。
【０００７】
【課題を解決するための手段】
本発明の一態様による接触型起動スイッチは、外カバーの押し込み操作により、取付台に取り付けられた複数のスイッチ接点のいずれかを作動させる接触型起動スイッチである。複数のスイッチ接点は、例えば取付台の前面側に取り付けられている。前記取付台の長さ方向に間隔をあけて前記取付台の取付用孔が設けられている。これら取付用孔は、取付台の前後方向に貫通して設けられている。これら取付孔の間に、前面が開口した凹所が設けられている。この凹所内に、複数の接点スイッチが配置されている。この凹所の前面を、可撓性シートと、内カバーとによって密閉している。内カバーは、外カバーの変位をスイッチ接点に伝達する複数の押し込み片を有している。
【０００８】
このように構成した接触型起動スイッチによれば、凹所が可撓性シートと内カバーとによって覆われており、防水性が高められている。この凹所内に複数の接点スイッチを集約して設けているので、防水対策を効果的に高めることができる。しかも、この凹所は、取り付け用孔が設けられている部分の間に設けられており、凹所内に取り付け用孔が存在しない。従って、更に、接点スイッチに対する防水対策が高められる。また、内カバーに押し込み片を設け、この押し込み片の変位によって接点スイッチを作動させるように構成してあるので、防水対策を施しても、外カバーへの押し込み操作によって確実に接点スイッチを作動させることができる。
【０００９】
凹所内に、それの周縁部に沿ってリブを立設し、このリブによって包囲された収容部を形成し、この収容部内に、前記接点スイッチを配置してある。
【００１０】
この構成により、凹所内のリブによって、リブよりも内側の収容部内に水の侵入をより防止することができる。
【００１１】
前記リブは、前記凹所の周縁部との間に間隔をあけて配置してある。この間隔内に、前記内カバーの周縁部に設けた挿入部が侵入している。なお、挿入部と、リブ及び凹所の周縁部との間に間隙、例えば微少な間隙を形成することもできる。
【００１２】
この構成では、リブと凹所の周縁部との間隔に、内カバーの周縁部の挿入部が挿入されているので、密閉度が高まり、さらに防水効果を高めることができる。また、内カバーの周縁部に設けた挿入部が、内カバーを補強するので、内カバーが反りにくく、挿入部は確実に上記の間隔内に位置し、密閉度をより高められる。
【００１３】
本発明の他の態様の接触型起動スイッチは、上記の態様の接触型起動スイッチと同様に、外カバーの押し込み操作により、取付台に取り付けられた複数のスイッチ接点のいずれかを作動させる。複数のスイッチ接点は、例えば取付台の前面側に取り付けられている。前記取付台の長さ方向に間隔をあけて前記取付台の取付用孔が設けられている。これら取付用孔は、取付台の前後方向に貫通して設けられている。これら取付孔の間に、前面が開口した凹所が設けられている。この凹所内に、複数の接点スイッチが配置されている。この凹所の前面を、可撓性シートと、内カバーとによって密閉している。内カバーは、外カバーの変位をスイッチ接点に伝達する複数の押し込み片を有している。前記凹所内に、それの周縁部に沿って多重に複数のリブを立設し、これら多重のリブによって包囲された収容部内に、複数の接点スイッチを配置している。複数のリブのうち、凹所の周縁部に最も近いものと凹所の周縁部との間に、間隔が設けられている。この間隔内に、内カバーの周縁部に設けた挿入部が嵌合している。なお、挿入部と、最も外側のリブ及び凹所の周縁部との間に間隙、例えば微少な間隙を形成することもできる。
【００１４】
このように構成した場合、多重のリブによって収容部が包囲されているので、収容部内には益々水が侵入しにくくなり、防水性を高めることができる。しかも、凹所の周縁部に最も近いリブと凹所の周縁部との間隔に、内カバーの周縁部の挿入部が挿入されているので、密閉度が高まり、さらに防水効果を高めることができる。また、内カバーの周縁部に設けた挿入部が、内カバーを補強するので、内カバーが反りにくく、挿入部は確実に上記の間隔内に位置し、密閉度をより高められる。
【００１５】
【発明の実施の形態】
本発明の１実施形態の接触型起動スイッチは、子機用で、図１に示すように、取付台２、可撓性シート３、内カバー４及び外カバー６を有している。取付台２、内カバー４及び外カバー６は、いずれも樹脂成型品である。
【００１６】
取付台２は、図２に示すように、縦長に形成された前面壁２ａを有している。前面壁２ａの両端部分は、後面側に幾分湾曲している。この前面壁２ａの両長手縁に沿って側壁２ｂ、２ｃが前面壁２ａの平坦部分に対してほぼ垂直に形成され、前面壁２ａの端縁には、前面壁２ａの平坦部分に対してほぼ垂直に端壁２ｄ、２ｅが形成されている。前面壁２ａの湾曲部分よりも内側の位置に、前面壁２ａの長さ方向に間隔をおいて、複数、例えば２個の取付孔２ｆが形成されている。これら取付孔２ｆは、前面側から後面側に貫通している。
【００１７】
これら取付孔２ｆ、２ｆの間に、凹所２ｇが形成されている。凹所２ｇは、前面側が開口した矩形に形成されている。図３に示すように、この凹所２ｇの周縁部は、その後面壁２ｈよりも前面側に突出しており、その突出部分の前面には、凹所２ｇの周囲に沿ってリブが設けられている。例えば複数、具体的には２つのリブ２ｉ、２ｊが、多重、例えば二重に設けられている。外側にあるリブ２ｉは、凹所２ｇの周縁部との間に所定の間隔を有している。リブ２ｉよりも内側にあるリブ２ｊは、リブ２ｉとの間に所定の間隔を有している。これらリブ２ｉ、２ｊは、それらの前端部が、凹所２ｇの前面側開口よりも内側に位置するように、突出量が設定されている。
【００１８】
凹所２ｇにおけるリブ２ｉ、２ｊよりも内側の部分が収容部２ｋとされている。この収容部２ｋに、その長さ方向に沿って縦長の矩形のプリント基板１０が配置されている。このプリント基板１０に、その長さ方向に間隔をおいて、複数、例えば２つの接点スイッチ１２、１２が配置されている。図示していないが、これら接点スイッチ１２、１２は、収容部２ｋから背面側に貫通させたリード線導出口１３を介して、図示していない親機である接触型起動スイッチに接続されている。なお、リード線導出口１３は、シリコン樹脂等の防水充填材によって充填され、導出口１３からの水の侵入が防止されている。
【００１９】
可撓性シート３は、防水性を有するもので、例えばゴムシートである。図３に示すように、可撓性シート３は、凹所２ｋの前面側の開口、具体的には外側のリブ２ｉよりも幾分外側の部分までを被蓋できる大きさの矩形に形成され、それの周縁部がリブ２ｉ上に接触するように配置されている。なお、この状態において、接点スイッチ１２、１２は、可撓性シート３の下面に接触している。
【００２０】
可撓性シート３の上面側に、内カバー４の後面が接触するように内カバー４が配置されている。内カバー４は、凹所２ｇの前面の開口をほぼ全て被蓋することができるように、可撓性シート３よりも一回り大きく形成された矩形状のものである。この被蓋状態において、内カバー４が凹所２ｇから前方に突出しないように、内カバー４の厚さ寸法が設定されている。この内カバー４の後面の周縁部全域には、枠状の挿入部４ａが形成されている。この挿入部４ａは、リブ２ｉと凹所２ｇの周縁部との間の間隔、例えば溝に侵入可能に形成されている。この挿入部４ａの侵入状態において、図３に示すように、挿入部４ａと、リブ２ｉの周縁部及び凹所２ｇの周縁部との間には、間隙、例えば微少な隙間が形成されている。
【００２１】
これら可撓性シート３と内カバー４とには、それぞれの周縁部に、互いに対応するように、間隔をおいて複数のネジ挿通孔１４、１６が形成されている。ネジ挿通孔１６は、内カバー４の挿入部４ａよりも内側の位置に形成されている。これらネジ挿通孔１４、１６に挿通されたネジ（図示せず）が凹所２ｇの周縁部付近の例えばリブ２ｉ、２ｊの間の溝に形成した複数のネジ孔に螺合して、取付台２に可撓性シート３及び内カバー４とが取り付けられている。ネジによる取付であるので、可撓性シート３及び内カバー４とは取付台２に対して係脱自在である。
【００２２】
図１に示すように、内カバー４が凹所２ｇに取り付けられた状態において、各接点スイッチ１２に対応するように複数、例えば２つの押し込み片４ｂ、４ｂが内カバー４と一体に形成されている。これら押し込み片４ｂは、接点スイッチ１２の前方に位置する円板状の膨大部４ｃと、これに連なる首部４ｄとからなり、例えば内カバー４を切り込むことによって形成されている。
【００２３】
外カバー６は、前面壁６ａを有している。前面壁６ａは、概略縦長の長方形状に形成され、その両端部が、取付台２の前面壁２ａの両端部と同様に傾斜している。前面壁６ａは、取付台２の前面壁２ａよりも若干広い大きさに形成され、それの両長手縁に沿って、前面壁６ａに対してほぼ垂直に側壁６ｂ、６ｃが形成されている。前面壁６ａの両端縁には、前面壁６ａに対してほぼ垂直に端壁６ｄ、６ｅが形成されている。この外カバー６は、その前面壁６ａが、取付台２の前面を覆うように、取付台２に被せられる。この被せた状態において、側壁６ｂ、６ｃ、端壁６ｄ、６ｅが、取付台２の周縁部の外側に幾分の隙間をあけて、位置している。
【００２４】
外カバー６を取付台２に被せた状態において、各押し込み片４ｂの各膨大部４ｃに接触するように、前面壁６ａの後面には、複数、例えば２つの突部６ｉが形成されている。
【００２５】
端壁６ｄの後端部には、前面壁６ａの平面部分とほぼ平行に、外カバー６の内側に向かって短い後面壁６ｇが形成されている。同様に、端壁６ｅの後端部分にも、前面壁６ａの平面部分とほぼ平行に、外カバー６の内側に向かって短い後面壁６ｈが形成されている。
【００２６】
図１に示すように、取付台２の端壁２ｄには、それの長さ方向に沿って複数、例えば２個の突起部２ｍが、間隔をおいて外側に突出するように、一体に形成されている。これら突起部２ｍの突出量は、取付台２に外カバー６を取り付けた状態において、外カバー６の後面壁６ｇの先端を超えて端壁６ｄ側に位置するように、選択されている。従って、外カバー６を前面壁６ａよりもさらに前方に引き出そうとしても、後面壁６ｇが突起部２ｍ、２ｍに接触し、それ以上に前方に外カバーが引き出されることが阻止されている。
【００２７】
図２に示すように、取付台２の端壁２ｅの内部には、係止フック１８が端壁２ｅに形成した開口２ｎを介して外方に向かって進退可能に設けられている。この係止フック１８は、その下面が外カバー６の後面壁６ｈの前面に接触可能な位置に形成されている。さらに係止フック１８には、図示していないが、弾性体が設けられ、この弾性体によって、この係止フック１８は外方に向かって付勢されており、外カバー６が取付台２に被せられている状態では、係止フック１８の先端は、外カバー６の後面壁６ｈの前面に接触、係合し、外カバー６が取付台２から外れないようにされている。なお、外カバー６の端壁６ｅには、その内外に貫通した係止解除孔６ｆが形成されており、この係止解除孔６ｆから外カバー６内に解除用の工具を挿入し、係止フック１８を内側に押し込むことによって、係止フック１８を後面壁６ｈより後退させれば、外カバー６を取付台２から外すことができる。即ち、外カバー６は、取付台２に対して係脱自在に設けられている。
【００２８】
このように構成された接触型起動スイッチでは、外カバー６の前面壁６ａのいずれかの箇所を取付台２側に押すと、前面壁６ａの内面のいずれかの突部６ｉが押し込み片４ｂの膨大部４ｃを押し込み片４ｂの弾性力に抗って、取付台２側に押圧し、可撓性シート３を介していずれかの接点スイッチ１２を押圧する。これによって、いずれかの接点スイッチ１２が閉じられる。これに応動して、親機の接触型起動スイッチから起動信号がコントローラに伝送され、ドアパネルが開閉する。なお、外カバー６への押し込みを解除すると、押し込み片４ｂの弾性力によって押し込み片４ｂが元の位置に復帰し、これに伴い外カバー６も元の位置に復帰する。
【００２９】
この接触型起動スイッチでは、複数の接点スイッチ１２は、凹所２ｇ内に集約されて収容されており、その前面側の開口は、可撓性シート３と内カバー４とによって二重に被蓋されているので、前面側から凹所２ｇ内に侵入しにくい。しかも、凹所２ｇ内には、前後方向に貫通した取付孔２ｆが存在していないので、凹所２ｇ内に水が益々侵入しにくい。また、凹所２ｇ内には、リブ、例えば２つのリブ２ｉ、２ｊが形成されており、このリブによって、可撓性シート３及び内カバー４の周縁部から仮に水が侵入したとしても、収容部２ｋ側まで水が侵入することを防止できる。特に、リブが、リブ２ｉ、２ｊのように多重に形成されているので、より確実に水の侵入を防ぐことができる。
【００３０】
また、外側のリブ２ｉの前端に、図３に示すように、可撓性シート３及び内カバー４の周縁部が乗っているので、これらリブ２ｉ、２ｊの間の溝に、これらをネジ止めする際に、内カバー４の周縁部の沈み込みを緩和することができる。また、内カバー４の周縁部には、挿入部４ａが形成されており、これら内カバー４を補強しているので、さらに内カバー４の周縁部の沈み込みを緩和することができる。また、この挿入部４ａは、リブ２ｉと凹所２ｇとによって形成された溝の中に、配置されている。従って、密閉度が高められている。しかも、この挿入部４ａは、リブ２ｉと凹所２ｇとの間に微少な間隙を有しているので、仮にこの溝の中に水が入っても、表面張力が発生し、リブ２ｉよりも内側に水が侵入することが防止される。
【００３１】
また、ネジ止めは、可撓性シート３及び内カバー４とを取付台２に取り付ける際だけに行われ、外ケース６は取付台２に係止フック１８によって取り付けているので、取付、保守点検が容易に行える。
【００３２】
上記の実施の形態では、２個の接点スイッチ１２を使用したが、２個以上の接点スイッチ１２を使用することもできる。この場合、押し込み片４ｂの数も、接点スイッチ１２の数に対応した数とする。また、上記の実施の形態では、複数のリブ２ｉ、２ｊを設けたが、更に多くのリブを設けることもできる。この場合、リブ２ｊよりも内側に形成されるリブも、隣接するリブとの間に間隔を設けることが望ましい。また、逆に１つのリブ２ｉのみを設けることもできる。この場合、内カバー４の挿入部４ａを、リブ２ｉと凹所２ｇの周縁部の間に侵入させることも可能である。また、リブを多重に設けた場合、或いは１つだけ設けた場合に、内カバー４の挿入部４ａを除去して、挿入部４ａをリブ２ｉと凹所２ｇの周縁部の間に侵入させないことも可能である。可撓性シート３として、ゴムシートを使用したが、これに限ったものではなく、例えば防水性を有する材料のものであれば、種々のものを使用することもできる。上記の実施の形態では、外カバー６を取付台２に取り付けるために、取付台２の係止フック１８を外カバー６の後面壁６ｈに係止させたが、係止解除孔６ｆに代えて、係止フック１８が侵入可能な大きな係止孔を設け、これに係止フック１８を侵入させて、係止フック１８を係止することも可能である。この場合、係止フック１８の弾性力は、係止フック１８が係止孔まで進行するように強める必要がある。
【００３３】
【発明の効果】
以上のように、本発明によれば、複数の接点スイッチに対する防水効果を高めることができるし、取付、保守点検も容易に行うことができる。
【図面の簡単な説明】
【図１】本発明の１実施形態の接触型起動スイッチの組立斜視図である。
【図２】図１の接触型起動スイッチの組立縦断面図である。
【図３】図１の接触型起動スイッチを組み立てた状態の縦断側面図である。
【符号の説明】
２  取付台
２ｆ  取付用孔
２ｇ  凹所
３  可撓性シート
４  内カバー
４ｂ  押し込み片
６  外カバー
１２  接点スイッチ
【図１】
0004008222.tif 000002
【図２】
0004008222.tif 000003
【図３】
0004008222.tif 000004